(57)【要約】【課題】接続ピンにスルーホールの内径よりも小さな外径を有する挿入部を設け、スルーホールに挿入された挿入部を拡張することにより実装部品を基板に装着する基板実装構造の提供。【解決手段】基板１に設けられたスルーホール４に実装部品２の挿入ピンを挿入して、スルーホール４に露出したメッキ層７と挿入ピン３とを接続する基板実装構造に関する。挿入ピン３にはスルーホールの内径よりも小さな外径を有する小径部３１が形成されており、その小径部３をスルーホール４に挿入した後に、小径部３１を固定ピン１０を挿入して拡張する。その結果、挿入ピン３の外周面がスルーホール４の内周面に押圧され、接続ピンと基板との電気的接続および機械的固定が行われる。【選択図】        図３
2004349632.tif 000002
【特許請求の範囲】
【請求項１】
基板に設けられたスルーホールに実装部品の接続ピンを挿入して、前記スルーホールに露出した前記基板の導通部と前記接続ピンとを接続する基板実装構造において、
前記接続ピンに形成されて前記スルーホールの内径よりも小さな外径を有して、前記スルーホールに挿入される挿入部と、
前記スルーホールに挿入された前記挿入部の外周面が前記スルーホールの内周面に押圧されるように前記挿入部を拡張する拡張手段とを備えたことを特徴とする基板実装構造。
【請求項２】
請求項１に記載の基板実装構造において、
前記挿入部は前記スルーホールへの挿入方向に延びる中空部を有する筒状体であって、
前記拡張手段は前記中空部に挿入される柱状体であって、前記筒状体の内径よりも大きな外径を有することを特徴とする基板実装構造。
【請求項３】
請求項２に記載の基板実装構造において、
前記挿入部は、前記筒状体を軸方向に切断するスリットを有することを特徴とする基板実装構造。
【請求項４】
請求項２または３に記載の基板実装構造において、
前記拡張手段により拡張された前記挿入部は、前記スルーホールを貫通して前記基板の裏面側に突出する突出部を有し、拡張時の前記突出部の外径が前記スルーホールの内径寸法以上に設定されていることを特徴とする基板実装構造。
【請求項５】
請求項２〜４のいずれかに記載の基板実装構造において、
前記柱状体の拡張手段は、弾性材料で形成されていることを特徴とする基板実装構造。
【請求項６】
請求項２〜５のいずれかに記載の基板実装構造において、
前記拡張手段の熱膨張係数を、前記基板および前記挿入部の各熱膨張係数よりも大きく設定したことを特徴とする基板実装構造。
【請求項７】
請求項２〜６のいずれかに記載の基板実装構造において、
前記実装部品は所定の間隔で設けられた複数の前記接続ピンを有し、
前記拡張手段は、前記柱状体を電気絶縁性の連結部材を用いて前記所定の間隔で複数連結したものであることを特徴とする基板実装構造。
【請求項８】
請求項１〜７のいずれかに記載の基板実装構造において、
前記挿入部の外周面を凹凸面としたことを特徴とする基板実装構造。
【請求項９】
基板に設けられたスルーホールに実装部品の接続ピンを挿入して、前記スルーホールに露出した前記基板の導通部と前記接続ピンとを接続する基板実装方法において、
前記接続ピンは前記スルーホールの内径よりも小さな外径を有して、前記スルーホールに挿入される挿入部を備え、
前記挿入部を前記スルーホールに挿入した後に、前記挿入部の外周面が前記スルーホールの内周面に押圧されるように前記挿入部を拡張することを特徴とする基板実装方法。
【請求項１０】
請求項９に記載の基板実装方法において、
前記挿入部は前記スルーホールへの挿入方向に延びる中空部を有する筒状体であって、
前記筒状体の内径よりも大きな外径を有する柱状体に形成された前記拡張手段を、前記中空部に挿入して前記挿入部を拡張することを特徴とする基板実装方法。
【請求項１１】
請求項１０に記載の基板実装方法において、
前記柱状体の拡張手段をねじ込むように回転させながら挿入することを特徴とする基板実装方法。
【請求項１２】
請求項１に記載の基板実装構造に用いられる実装部品であって、
前記接続ピンに形成された前記挿入部は、柱状体の前記拡張手段が挿入される中空部を有する筒状体で、かつ、その筒状体を軸方向に切断するスリットが形成されていることを特徴とする実装部品。
【発明の詳細な説明】
【０００１】
【発明の属する技術分野】
本発明は、基板に設けられたスルーホールに実装部品の接続ピンを挿入して、実装部品を基板に装着する基板実装構造、基板実装方法、および、それらに用いられる実装部品に関する。
【０００２】
【従来の技術】
プリント基板に電子部品を実装する方法の一つに、プレスフィット工法と呼ばれるものが知られている。プレスフィット工法におけるコネクタピンには、プレスフィット部やコンプライアンス部などと呼ばれるスルーホールの内径よりも径の大きな部分が形成されている。コネクタピンをスルーホールに圧入するとプレスフィット部が弾性変形し、そのときの接触圧力によりピンとプリント基板導体との電気的接続や機械的な固定が行われる（例えば、特許文献１および特許文献２参照。）。
【０００３】
【特許文献１】
特開平６−１３７３５号公報
【特許文献２】
特開平１０−９２９９９号公報
【０００４】
【発明が解決しようとする課題】
スルーホール内壁表面にはメッキ層が薄く形成されていて、このメッキ層とコネクタピンとが接触してプリント基板導体との導通がとられている。しかしながら、プレスフィット工法ではスルーホール内径よりも大径のコネクタピンがスルーホールに圧入されるため、圧入時に摩擦によってスルーホール内のメッキが剥離する等のメッキ層へのダメージが生じて、導通不良につながる可能性があった。
【０００５】
本発明は、接続ピンにスルーホールの内径よりも小さな外径を有する挿入部を設け、スルーホールに挿入された挿入部を拡張することにより実装部品を基板に装着する基板実装構造、基板実装方法、および、それらに用いられる実装部品を提供するものである。
【０００６】
【課題を解決するための手段】
本発明は、基板に設けられたスルーホールに実装部品の接続ピンを挿入して、前記スルーホールに露出した前記基板の導通部と前記接続ピンとを接続する基板実装構造や基板実装方法に適用されるものである。そして、接続ピンに形成されたスルーホールの内径よりも小さな外径を有する挿入部をスルーホールに挿入し、その後に、挿入部を拡張手段で拡張して挿入部の外周面がスルーホールの内周面に押圧されるようにし、接続ピンと基板との電気的接続および機械的固定を行うようにしたことを特徴とする。
また、本発明による実装部品では、接続ピンにスルーホールの内径よりも小さな外径を有する挿入部が形成され、挿入部は柱状体の拡張手段が挿入される中空部を有する筒状体状に形成されている。
【０００７】
【発明の効果】
本発明によれば、接続ピンにスルーホールの内径よりも小さな外径を有する挿入部を形成し、その挿入部をスルーホールに挿入してから拡張するようにしたので、スルーホール内壁にメッキ等により形成された導通部が接続ピンの挿入によってダメージを受けるのを防止することができる。
【０００８】
【発明の実施の形態】
以下、図を参照して本発明の実施の形態を説明する。図１は本発明による実装構造の一実施の形態を説明する図であり、実装前の挿入型実装部品２および基板１の断面図を示したものである。実装部品２に設けられた接続端子としての挿入ピン３は、基板１のスルーホール４に挿入される。実装部品２としては、コネクタや、樹脂によりパッケージングされたＩＣなどの電子部品や、ＩＣを基板に実装するためのソケット等がある。なお、実装部品２には複数の挿入ピン３が設けられていて各々スルーホール４に挿入されているが、図１は、それらの内の一カ所について図示したものである。
【０００９】
基板１は複数の配線層５ａ，５ｂが積層された多層基板であり、各配線層５ａ，５ｂは絶縁性の基板基材６により互いに絶縁されている。図１の例では２層の配線層５ａ，５ｂを有しているが、本発明は配線層の数に関係なく適用することができる。スルーホール４には導電性材料によるメッキ層７が形成されている。メッキ層７には例えば銅メッキなどが用いられ、メッキ層７の一部はスルーホール４から連続するように基板１の表裏面に露出している。メッキ層７は、スルーホール４内に露出している配線層５ａ，５ｂを覆うように形成されており、配線層５ａ，５ｂと電気的に接続されている。
【００１０】
挿入ピン３は、外径Ｔ１の小径部３１、外径Ｔ２の大径部３３およびフランジ状のストッパ部３２から成る。図２は挿入ピン３の斜視図であり、挿入ピン３の中心部分には中空部８が形成されるている。また、筒状の挿入ピン３には、スリット９が軸方向に沿ってピン先端から実装部品方向へと形成されている。図２に示す例では、２つのスリット９が軸の回りに１８０度ずれた位置に設けられている。ストッパ部３２の下面と大径部３３の上面との間隔ｄ１はスルーホール４の長さｄ２よりもやや大きく設定されている。また、大径部３３の外径Ｔ２は小径部の外径Ｔ１よりも大きく設定されるが、スルーホール４の内径Ｔ５と同じまたはやや小さく設定されている。
【００１１】
図１に示した実装部品２を基板１に実装する場合には、まず、図３（ａ）に示すように、ストッパ部３２が基板１に当接するまで挿入ピン３を基板１のスルーホール４に挿入する。大径部３３の外径Ｔ２はスルーホール４の内径Ｔ５と同じまたはやや小さく設定されているため、ピン挿入の際の軸の僅かなずれによってメッキ層７の表面が大径部３３によって擦られ、その際にメッキ層７が僅かに削り取られる。メッキ層７の表面には酸化膜が出来やすく、酸化膜によって導通抵抗にばらつきが生じやすい。しかしながら、本実施の形態ではスルーホール４の内表面に形成された酸化膜が大径部３３によって削りとられる場合が多く、酸化膜による導通抵抗のばらつきを防止することができる。
【００１２】
上述したように、スルーホール４の内径Ｔ５は「Ｔ５＞Ｔ１」のように設定されているので、図３（ａ）に示す状態ではスルーホール４と挿入ピン３の小径部３１との間には隙間が生じている。次に、図３（ｂ）に示すように、固定ピン１０を挿入ピン３の先端から実装部品方向に押圧して、中空部８に固定ピン１０を挿入する。固定ピン１０は挿入部１０１と大径部１０２とを有しており、挿入部１０１の外径はＴ４であって、その先端部分は砲弾の先端部のように先端に近づくほど細くなっている。挿入部１０１の外径Ｔ４は中空部８の内径Ｔ３よりも大きく設定されており、固定ピン１０を中空部８に挿入すると、挿入ピン３が図３（ｂ）の矢印１１で示す左右方向に変形される。挿入ピン３に形成されたスリット９は、このときの変形が生じやすいように機能している。
【００１３】
そのため、固定ピン１０の挿入開始によって挿入ピン３の大径部３３がスルーホール４の入り口部分に引っ掛かり、固定ピン１０の上方への押圧力による挿入ピン３のスルーホール４からの抜けが防止される。さらに、図４（ａ）に示すように固定ピン１０を中空部８に挿入することにより挿入ピン３が押し広げられ、挿入ピン３の外径が増加するように拡張される。その結果、挿入ピン３の外周面がスルーホール４の内周面に押圧され、挿入ピン３とスルーホール４との電気的接続が十分に行われるとともに、挿入ピン３がスルーホール４に固定される。
【００１４】
図４（ａ）は、固定ピン１０の後端に形成された大径部１０２が挿入ピン３の先端に当接して、挿入部１０１の全体が中空部８に挿入された状態を示す断面図であり、図４（ｂ）はＩＩ−ＩＩ断面を示す図である。固定ピン１０の外径Ｔ４は、次式（１）を満たすように設定されている。
【数１】
｛（Ｔ１−Ｔ３）＋Ｔ４｝＞Ｔ５    …（１）
【００１５】
式（１）において、左辺は固定ピン１０の外径Ｔ４に小径部３１の肉厚部分を加えた外形寸法を表している。外径Ｔ４を式（１）のように設定することにより、小径部３１の外周面をスルーホール４の内面に密着させるとともに、接触抵抗が小さくなるように十分な面圧が得られるようにしている。
【００１６】
なお、図４（ａ）ではスリット９の上端部がストッパ３２よりも実装部品側となるように十分長く設定されているため、固定ピン１０の大径部１０２が挿入ピン３の先端に当接するまで挿入されている。しかし、図５に示すようにスリット９の長さがストッパ部３２よりも上方まで形成されていないような場合には、固定ピン１０が途中までしか挿入されないこともある。そのため、挿入ピン３が拡張したときの小径部３１とスルーホール４との密着性を十分得るためには、スリット９の上端部がストッパ部３２よりも実装部品側となるようにするのが好ましい。
【００１７】
上述した固定ピン１０では、挿入部１０１は先端部分を除いては外径Ｔ４の円柱状を成している。図６（ａ）は固定ピン１０の変形例を示す図であり、固定ピン１１０は挿入部１１１と大径部１１２とを有している。図６（ａ）に示す固定ピン１１０では、挿入部１１１の基部付近の外径は固定ピン１０と同じＴ４であるが、挿入部１１１の中央部付近の外径Ｔ６はＴ４よりも大きく設定されていて樽状に膨らんでいる。
【００１８】
そのため、この固定ピン１１０を用いた場合には、図６（ｂ）に示すように、符号Ａで示した外径Ｔ６を有する部分において挿入ピン３の最大密着応力を発生させることができる。そのため、固定ピン１１０が挿入ピン３から抜け難くなるとともに、符号Ａで示した部分を中心に挿入ピン３とスルーホール４との密着応力が固定ピン１０を用いた場合よりも大きくなる。その結果、挿入ピン３と基板１との間の電気的接続および機械的固定がより良好となる。
【００１９】
なお、固定ピン１０，１１０には樹脂等の弾性を有する材料で形成するのが望ましい。固定ピン１０，１１０を弾性材料で形成した場合、弾性によって挿入時におけるスルーホール４の入り口部分に与える広がり方向の応力を軽減できる。さらに、弾性材料で形成した場合には固定ピン１０のような挿入部形状であっても、固定ピン挿入後にスルーホール４の中央部付近に挿入ピン３の最大密着応力を発生させることができ、固定ピンを抜け難くすることが出来る。また、固定ピン１０，１１０の先端部形状は上述した形状に限らず、挿入ピン３の中空部８に挿入しやすい形状であれば良い。
【００２０】
《挿入ピンの構造》
図３に示した挿入ピン３では、円柱状の金属部材を旋盤加工することによりストッパ部３２および大径部３３を形成したが、図７〜９に示すような方法で形成しても良い。図７（ａ）に示す例では、プレス加工等によりストッパ部３２を有する部材１３ａを形成する。そして、部材１３ａのストッパ部２よりも先端部分を旋盤加工して、円柱状の小径部３１と大径部３３を形成した後に、ドリル加工により中空部８を形成する。最後に、スリット９を形成する。
【００２１】
小径部３１はスルーホール４との密着性が良好となるように、小径部３１の断面形状はスルーホール４の断面と同様に円形が好ましい。そのため、部材１３ａの厚さｔ１０は小径部３１の外径Ｔ１以上に設定される。ただし、図７（ａ）に示す例ではｔ１０は大径部３３の外径Ｔ２よりも小さいので、大径部３３およびストッパ部３２とも断面は円形となっていない。しかし、これらは固定ピン１０を挿入する際に基板１にかかる応力を受けることが出来れば良いので、必ずしも円形である必要はない。図７（ｂ）の部材１３ｂでは厚さｔ１１がＴ２以上に設定されており、小径部３１および大径部３３を円柱状に形成することができる。
【００２２】
なお、図７（ａ）に示した挿入ピン３ではスリット９の数が２つで、図７（ｂ）に示した挿入ピンではスリット９が１つであるが、図７（ｃ）の小径部３１の断面図に示すようにスリット９の数は３つ以上でもかまわない。ただし、固定ピン１０を中空部８に挿入したときの挿入ピン３の変形が軸対称となるように、複数のスリット９の配置は軸対称とするのが好ましい。なお、図７（ａ）に示す挿入ピン３では大径部３３やストッパ部３２の形状が左右対称なので、スリット９の数は２が好ましい。
【００２３】
また、図８，９に示す例では、金属の薄板を曲げ加工して挿入ピン３を形成するようにしている。図８に示す例の場合、図８（ａ）のように薄板１３ｃを図のようにストッパ部３２を構成する部分と、小径部３１および大径部３３に相当する部分１３０とから成る形状に形成する。このときの薄板１３ｃの厚さｔ１２は、小径部３１の肉厚と等しく設定される。図１からも分かるように、小径部３１の肉厚は（Ｔ１−Ｔ３）／２となる。
【００２４】
図８（ｂ）では部分１３０の先端部を折り曲げて大径部３３に相当するを形成する。次に、図８（ｃ）のように、部分１３０を円筒状に丸めて小径部３１と大径部３３を形成する。部分１３０を丸め加工する際には、接合部にはスリット９を構成する隙間をあけるように丸める。このようにして、薄板１３ｃから、ストッパ部３２，小径部３１，大径部３３およびスリット９を有する円筒状の挿入ピン３が形成される。
【００２５】
図９に示す挿入ピン３では、図９（ａ）に示すように、薄板１３ｄはストッパ部３２と小径部３１に相当する部分１３１とを有している。部分１３１を図９（ｂ）のように円筒状に丸め、その丸め加工の際に、スリット９ができるように接合部に隙間をあける。その結果、ストッパ部３２と小径部３１のみを有する挿入ピン３が形成される。
【００２６】
図９（ｂ）に示した挿入ピン３では、図１に示すような大径部３３を有していないが、図７（ａ）に示すような金属材を削りだして形成する挿入ピン３においても、大径部３３を形成しないようにすることができる。図１０は、挿入ピン３に大径部３３が無い場合の挿入ピン３と基板１との接続方法を示したものである。まず、図１０（ａ）のように、挿入ピン３の小径部３１を、ストッパ部３２が基板１に当接するまでスルーホール４内に挿入する。
【００２７】
次に、図１０（ｂ）のようにストッパ部３２の上部を押さえ治具１４で押さえながら、基板裏面側から固定ピン１０を中空部８に挿入する。すなわち、固定ピン挿入時の挿入ピン３を上方に押し上げる力に対して、押さえ治具１４によって挿入ピン３を下方に押さえつけることにより、小径部３１がスルーホール４から抜け出てしまうのを防止している。なお、固定ピン１０を挿入したときの挿入ピン３の外径方向への変形を考慮して、押さえ治具１４と挿入ピン３との間には若干の隙間をあけておく。図１０（ｃ）に示すように固定ピン１０の挿入が完了したならば、押さえ治具１４を挿入ピン３から取り外す。
【００２８】
さらに、図９に示した挿入ピン３の場合には、固定ピン１０を挿入ピン３の先端側からではなく、実装部品側から挿入することもできる。図１１は実装手順を示す図であり、図１１に示すように基板１を定盤１５上に置き、実装部品２に設けられた挿入ピン３を基板１のスルーホール４に挿入する。次に、図１１（ｂ）のように固定ピン１０を実装部品側、すなわち、基板１の表面側から小径部３１の中空部８に挿入する。固定ピン挿入の際の挿入方向の応力は、定盤１５およびストッパ部３２により受ける。
【００２９】
なお、この方式の場合、固定ピン１０の大径部１０２の形状を挿入ピン３と干渉しないような形状とする必要がある。例えば、ストッパ部３２の延在方向に長い楕円形とする。その後、図１１（ｃ）に示すように固定ピン１０を押し込むことによって挿入ピン３が外径方向に拡張し、挿入ピン３が基板１に固定される。
【００３０】
［変形例１］
図１２は固定ピン１０の挿入方法に関する変形例であり、固定ピン１０をねじ込むように回転させながら挿入ピン３の中空部８に挿入する。この場合、矢印Ｒ１のように回転方向を正逆両方向に僅かに反転させながら挿入する。そうすると、挿入ピン３は固定ピン１０から上方方向の力を受けているため、挿入ピン３と固定ピン１０との間の摩擦力によって挿入ピン３も矢印Ｒ２のように連れ回ることになる。
【００３１】
固定ピン１０の挿入過程において図１２（ｂ）のように固定ピンの挿入量が増えると、挿入ピン３が外径方向に変形してスルーホール４の内面、すなわちメッキ層７の内表面に接触する。そして、接触しながら挿入ピン３が連れ回ることによりメッキ層７の表面の酸化膜が削り取られ、挿入ピン３とメッキ層７との密着力が向上して電気的接続状態がより良好になる。
【００３２】
［変形例２］
図１３は変形例２を示す図であり、図１３（ａ）に示すように小径部３１の表面を予め凹凸状に粗面化しておく。その結果、図１３（ｂ）のように固定ピン１０を挿入して挿入ピン３１を変形させ、小径部３１の外面とスルーホール４の内面とが密着したときに、両者の間の固定力がより増加する。
【００３３】
［変形例３］
変形例３では、基板１、挿入ピン３および固定ピン１０の内で、固定ピン１０に用いられる材料の熱膨張係数を基板１，挿入ピン３の材料よりも大きくした。実装部品２の発熱等により実装部品２を含む基板１の温度が上昇した場合、上述したように固定ピン１０の熱膨張係数を他のものよりも大きくしておくことにより、固定ピン１０の熱膨張により挿入ピン３とスルーホール４との密着力が増加し、接続部の耐久性が向上する。なお、固定ピン６の外径Ｔ４は、低温時に固定ピン１０が収縮した場合でも、挿入ピン３とスルーホール４との密着力が維持出来るような大きさに設定しておく。
【００３４】
［変形例４］
上述した実施の形態では、中空部８を有する円筒状の挿入ピン３にスリット９を形成し、挿入ピン３の中空部８に先端が細くなった円柱状の固定ピンを挿入することにより、挿入ピン３を外径方向に変形させて挿入ピン３をスルーホール４に固定するようにしていた。変形例４では、図１４のように割り込み２００を有する挿入ピン２３を図１の基板１のスルーホール４に挿入し、その挿入ピン２３の割り込み２００に楔状の固定ピン３０を圧入するようにしても良い。
【００３５】
この場合も、挿入ピン２３には小径部２０１，ストッパ部２０２および大径部２０３が形成されており、小径部２０１の断面形状はスルーホール４の断面形状に合わせて円形とされる。図１４に示す固定ピン３０は板状部材から成り、楔部３０１の後端には固定ピン３０の挿入量を制限するストッパ部３０２が形成されている。
【００３６】
［変形例５］
上述した実施の形態では、固定ピン１０が複数ある場合には、それぞれの固定ピン１０を対応する挿入ピン３に個別に挿入される。しかし、固定ピン１０を絶縁性の樹脂で形成する場合には、図１５に示すように複数の固定ピン４０１が一体に形成された固定ピンユニット４０を用いて、複数の挿入ピン３をいっぺんに基板１に接続固定することができる。固定ピンユニット４０は複数の固定ピン１０が連結部４０２で連結されたものであり、一体で成形される。固定ピン４０１には固定ピン１０に設けられていたような大径部３３は形成されていないが、連結部４０２が大径部３３と同一の機能を有している。各固定ピン４０１の間隔ｄ１０は基板１に形成されたスルーホール４の間隔と等しく設定されている。実装部品２に形成されている挿入ピン３の構造は、図１に示したものと同一である。
【００３７】
実装部品２を基板１に実装する場合には、図１６（ａ）に示すように、実装部品２に設けられた複数の挿入ピン３を基板１の対応するスルーホール４に挿入する。そして、固定ピンユニット４０の全体を基板方向に移動させて、各固定ピン４０１を挿入ピン３の中空部８に挿入する。固定ピン挿入時の挿入ピン３の変形等については図３で説明した動作と同一なので、ここでは説明を省略する。図１６（ｂ）は各固定ピン４０１が完全に挿入された状態を示す図であり、連結部４０２は各挿入ピン３の大径部３３に当接している。
【００３８】
このように複数の固定ピン４０１が形成された固定ピンユニット４０を用いることにより、複数の固定ピン４０１を挿入ピン３にいっぺんに挿入することができるため、作業効率の向上を図ることが出来る。なお、固定ピンユニット４０は絶縁性樹脂で形成されているので、固定ピン４０１同士が連結部４０２で連結されていても、スルーホール４同士が固定ピンユニット４０を介して導通することはない。
【００３９】
図１６に示す固定ピンユニット４０では固定ピン４０１と連結部４０２とを樹脂で一体に形成したが、図１７に示すように、複数の金属製のピン４１１を樹脂製の連結部材４１２で連結した固定ピンユニット４１を用いてもより。固定ピン４１１の下端部４１４は連結部材４１２に形成された孔４１３に挿入されている。
【００４０】
以上説明した実施の形態と特許請求の範囲の要素との対応において、メッキ層７は導通部を、小径部３１は挿入部を、固定ピン１０は拡張手段を、大径部３３は突出部を、固定ピン４０１，４１１は請求項６の柱状体をそれぞれ構成している。また、本発明の特徴を損なわない限り、本発明は上記実施の形態に何ら限定されるものではない。
【図面の簡単な説明】
【図１】本発明による実装構造の一実施の形態を説明する図であり、実装前の挿入型実装部品２および基板１の断面図を示したものである。
【図２】挿入ピン３の斜視図である。
【図３】挿入ピン３の基板１への固定手順を示す図であり、（ａ）は挿入ピン３の挿入工程を、（ｂ）は固定ピン１０の挿入工程を示す。
【図４】基板１と挿入ピン３との関係を示す断面図であり、（ａ）は固定ピン１０の挿入完了時の状態を示し、（ｂ）は（ａ）のＩＩ−ＩＩ断面図である。
【図５】スリット９の長さが不十分な場合を説明する図である。
【図６】固定ピン１０の変形例を示す図であり、（ａ）は固定ピン１１０の断面図、（ｂ）は固定ピン１１０によって固定された挿入ピン３の断面を示す図である。
【図７】挿入ピンの製造方法を説明する図であり、（ａ）および（ｂ）は板厚の違いによる形状の違いを示す図であり、（ｃ）はスリット９を説明する図である。
【図８】挿入ピンの製造方法の第２の例を示す図であり、（ａ）〜（ｃ）の順に加工が行われる。
【図９】挿入ピンの製造方法の第３の例を示す図であり、（ａ）、（ｂ）の順に加工が行われる。
【図１０】挿入ピン３に大径部３３が無い場合の挿入ピン３と基板１との接続方法を示したものであり、（ａ）〜（ｃ）の順に接続工程が行われる。
【図１１】図９に示す挿入ピンを用いた場合の接続工程を示す図であり、（ａ）〜（ｃ）の順に接続が行われる。
【図１２】変形例１を説明する図であり、（ａ），（ｂ）の順に接続工程が行われる。
【図１３】変形例２を説明する図であり、（ａ），（ｂ）の順に接続工程が行われる。
【図１４】変形例４を説明する図であり、挿入ピン２３および固定ピン３０を示す図である。
【図１５】変形例５を説明する図である。
【図１６】変形例５の場合の接続工程を示す図であり、（ａ），（ｂ）の順に接続が行われる。
【図１７】固定ピンユニット４１を示す断面図である。
【符号の説明】
１  基板
２  実装部品
３，２３  挿入ピン
４  スルーホール
７  メッキ層
８  中空部
９  スリット
１０，３０，１１０，４０１，４１１  固定ピン
１４  押さえ治具
３１  小径部
３２，３０２  ストッパ部
３３，１２０  大径部
４０，４１  固定ピンユニット
１０１，１１１  挿入部
【図１】
2004349632.tif 000003
【図２】
2004349632.tif 000004
【図３】
2004349632.tif 000005
【図４】
2004349632.tif 000006
【図５】
2004349632.tif 000007
【図６】
2004349632.tif 000008
【図７】
2004349632.tif 000009
【図８】
2004349632.tif 000010
【図９】
2004349632.tif 000011
【図１０】
2004349632.tif 000012
【図１１】
2004349632.tif 000013
【図１２】
2004349632.tif 000014
【図１３】
2004349632.tif 000015
【図１４】
2004349632.tif 000016
【図１５】
2004349632.tif 000017
【図１６】
2004349632.tif 000018
【図１７】
2004349632.tif 000019